(57)【要約】【課題】本発明は、キャスティングの初期段階でのスプールの回転の立ち上がりが良好となって、釣糸の飛距離を充分に延ばすことができる魚釣用リールを得ることにある。【解決手段】魚釣用リール(1)は、リール本体(2)と、スプール(11)を有するスプール軸(10)と、スプール軸(10)を回転自在に支持する第１の転がり軸受(27, 41)とを備えている。第１の転がり軸受(27, 41)は、スプール軸(10)に追従して回転する内輪(29, 43)と、内輪(29, 43)を同軸状に取り囲む外輪(30, 44)と、内輪(29, 43)と外輪(30, 44)との間に介在された複数の転動体(31, 45)とを有している。第１の転がり軸受(27, 41)の外輪(30, 44)とリール本体(2)との間に少なくとも一つの第２の転がり軸受(28, 42)が介在されている。第２の転がり軸受(28, 42)は、第１の転がり軸受(27, 41)の外輪(30, 44)をリール本体(2)に回転自在に支持している。【選択図】      図１
2008206473.tif 000002
【特許請求の範囲】
【請求項１】
リール本体と、
スプールを有するスプール軸と、
上記スプール軸に追従して回転する内輪と、この内輪を同軸状に取り囲む外輪と、これら内輪と外輪との間に介在された複数の転動体と、を有し、上記スプール軸を回転自在に支持する第１の転がり軸受と、
上記第１の転がり軸受の外輪と上記リール本体との間に介在され、上記第１の転がり軸受の外輪を上記リール本体に回転自在に支持する少なくとも一つの第２の転がり軸受と、を具備することを特徴とする魚釣用リール。
【請求項２】
請求項１の記載において、上記第１の転がり軸受と上記第２の転がり軸受とは、上記スプール軸の軸方向に互いにずれていることを特徴とする魚釣用リール。
【請求項３】
請求項１又は請求項２の記載において、上記第１の転がり軸受と上記第２の転がり軸受とは、結合部材を介して連結されて一つのモジュールとしてユニット化されていることを特徴とする魚釣用リール。
【請求項４】
リール本体と、
スプールを有するスプール軸と、
上記スプール軸を上記リール本体に回転自在に支持する軸受ユニットと、を具備し、
上記軸受ユニットは、
上記スプール軸に追従して回転する内輪と、この内輪を同軸状に取り囲む外輪と、これら内輪と外輪との間に介在された複数の転動体とを有し、上記スプール軸を回転自在に支持する第１の転がり軸受と、
上記リール本体に保持される外輪と、この外輪の内側に同軸状に位置する内輪と、これら内輪と外輪との間に介在された複数の転動体とを有する第２の転がり軸受と、
上記第１の転がり軸受の外輪と上記第２の転がり軸受の内輪との間を同軸状に連結し、上記第１の転がり軸受と上記第２の転がり軸受とを一体構造物とする筒状の結合部材と、を備えることを特徴とする魚釣用リール。
【発明の詳細な説明】
【技術分野】
【０００１】
本発明は、リール本体に転がり軸受を介して回転自在に支持されたスプールを有する魚釣用リールに係り、特にスプールと一緒に回転するスプール軸の軸受部分の構造に関する。
【背景技術】
【０００２】
例えば両軸受タイプの魚釣用リールでは、キャスティング時にスプールが回転することにより釣糸が放出される。
【０００３】
この種の魚釣用リールのスプールは、例えば特許文献１に開示されているように、スプール軸の上に同軸状に固定されている。スプール軸の両端部は、夫々転がり軸受を介してリール本体の側板に回転自在に支持されている。
【０００４】
転がり軸受は、内輪、外輪および複数の転動体を有している。内輪は、スプール軸の外周面に嵌合されて、このスプール軸に追従して回転するとともに、外輪は、リール本体の側板に嵌合されて、この側板に固定されている。転動体は、内輪と外輪との相対的な回転を許容するように、これら内輪と外輪との間に回転自在に介在されている。
【０００５】
そのため、スプールの回転時においては、内輪が外輪に対して円周方向に回転するようになっている。
【特許文献１】実公昭５６−２７７２３号公報
【発明の開示】
【発明が解決しようとする課題】
【０００６】
ところで、転がり軸受は、例えば回転中のスプール軸の振れを防止するため、各部の寸法精度が高められているけれども、軸受の構造上、内輪と転動体との接触部分および外輪と転動体との接触部分に僅かな回転抵抗が生じるのを避けられない。
【０００７】
すると、例えばキャスティング時にスプールが毎分２０．０００回転を上回る回転数で高速回転するベイトキャスティングリールでは、特にスプールの回転が立ち上がるキャスティング開始直後の初期段階において、転がり軸受の固有の回転抵抗によってスプールの回転が微妙に抑制されてしまうことがあり得る。
【０００８】
言い換えると、キャスティングの初期段階では、釣糸が仕掛けと共にスプールから高速で放出されて、スプールの回転が一気に立ち上がるので、このスプールの回転の立ち上がりが釣糸の飛距離に大きな影響を及ぼすことになる。
【０００９】
そのため、転がり軸受の回転抵抗によってスプールの回転の立ち上がりが阻害されてしまうと、釣糸の飛距離を低下させる要因となり、キャスティング時の遠投性能を徹底的に追及したいとする近年の要請を満たすことが困難となる。
【００１０】
本発明の目的は、転がり軸受の回転抵抗を極力軽減することができ、特にキャスティングの初期段階でのスプールの回転の立ち上がりが良好となって、釣糸の飛距離を充分に延ばすことができる魚釣用リールを得ることにある。
【課題を解決するための手段】
【００１１】
上記目的を達成するため、本発明の一つの形態に係る魚釣用リールは、  
リール本体と、  
スプールを有するスプール軸と、  
上記スプール軸に追従して回転する内輪と、この内輪を同軸状に取り囲む外輪と、これら内輪と外輪との間に介在された複数の転動体とを有し、上記スプール軸を回転自在に支持する第１の転がり軸受と、  
上記第１の転がり軸受の外輪と上記リール本体との間に介在され、上記第１の転がり軸受の外輪を上記リール本体に回転自在に支持する少なくとも一つの第２の転がり軸受と、を具備することを特徴としている。
【発明の効果】
【００１２】
本発明によれば、第１の転がり軸受の外輪は、第２の転がり軸受の存在によりリール本体に対し自由に回転し得る状態に保たれている。そのため、第１の転がり軸受の固有の回転抵抗によって外輪を回そうとする力が内輪から加わった場合、外輪は内輪に追従して滑らかに回転することになる。
【００１３】
このため、第１の転がり軸受の外輪と内輪との間に生じる回転抵抗が軽減され、キャスティング開始直後の初期段階でのスプール軸の回転の立ち上がりが迅速となる。よって、キャスティング時の釣糸の飛距離を充分に延ばして、遠投性能を高めることができる。
【発明を実施するための最良の形態】
【００１４】
以下本発明の第１の実施の形態を、図１ないし図２に基づいて説明する。
【００１５】
図１は、両軸受タイプの魚釣用リール１を開示している。魚釣用リール１は、リール本体２を備えている。リール本体２は、リール脚３を介して図示しない釣竿のリールシートに固定される。
【００１６】
リール本体２は、金属製の左右一対の側板４ａ，４ｂを有する枠体４と、第１および第２のサイドカバー５ａ，５ｂと、を備えている。側板４ａ，４ｂは、魚釣用リール１の幅方向に互いに間隔を存して向かい合っている。左側の側板４ａは、その中央部分に円形の開口部６を有している。
【００１７】
第１のサイドカバー５ａは、左側の側板４ａに着脱可能に取り付けられて、この側板４ａを魚釣用リール１の左側方から覆っている。第２のサイドカバー５ｂは、右側の側板４ｂに着脱可能に取り付けられている。第２のサイドカバー５ｂは、側板４ｂを魚釣用リール１の右側方から覆うとともに、この側板４ｂとの間に動力伝達室７を形成している。
【００１８】
図２に示すように、第１のサイドカバー５ａは、円筒状の第１の軸受支持部８を有している。第１の軸受支持部８は、第１のサイドカバー５ａから側板４ａの開口部６の内側に向けて突出している。同様に、リール本体２の右側の側板４ｂは、円筒状の第２の軸受支持部９を有している。第２の軸受支持部９は、左側の側板４ｂから第１の軸受支持部８に向けて同軸状に突出している。
【００１９】
リール本体２は、スプール軸１０を支持している。スプール軸１０は、枠体４の側板４ａ，４ｂの間に跨るようにリール本体２に回転自在に支持されている。スプール軸１０の外周面上にスプール１１が固定されている。スプール１１は、スプール軸１０が貫通するボス部１２と、釣糸を巻きつける円筒状の巻胴部１３とを有している。巻胴部１３は、スプール軸１０を同軸状に取り囲んでいる。
【００２０】
図１に示すように、リール本体２の動力伝達室７に突出軸部１４、ハンドル軸１５およびクラッチ１６が収容されている。
【００２１】
突出軸部１４は、スプール軸１０と同軸状に一体形成又は別軸として配置されている。突出軸部１４の外周面の上にピニオンギヤ１７が装着されている。ピニオンギヤ１７の内周面と突出軸部１４の外周面との間には、僅かな隙間が形成されている。
【００２２】
ピニオンギヤ１７は、公知のように係合位置と係合解除位置との間で突出軸部１４の軸方向に移動可能であり、かつ両端部が軸受を介してリール本体２に回転自在に支持されている。係合位置では、ピニオンギヤ１７の一端がスプール軸１０のクラッチ係合部に係合し、この係合によりピニオンギヤ１７とスプール軸１０とが一体的に回転する。係合解除位置では、ピニオンギヤ１７の一端がスプール軸１０のクラッチ係合部から離脱し、ピニオンギヤ１７とスプール軸１０とが互いに切り離される。
【００２３】
ハンドル軸１５は、スプール１１の右側方において突出軸部１４と平行に配置されている。ハンドル軸１５は、釣糸を巻き取る方向にのみ回転可能に第２のサイドカバー５ｂに支持されている。ハンドル軸１５の上にドラグ機構（図示せず）を介して駆動ギヤ１８が支持されている。駆動ギヤ１８は、ピニオンギヤ１７と噛み合っている。
【００２４】
ハンドル軸１５の一端は、第２のサイドカバー５ｂを貫通して魚釣用リール１の右側方に突出している。ハンドル軸１５の一端に、釣糸を巻き取る際に操作するハンドルアーム１９が固定されている。
【００２５】
クラッチ１６は、ピニオンギヤ１７を係合位置又は係合解除位置に選択的に移動させるためのもので、公知のようにピニオンギヤ１７の外周に形成した溝部に係合している。クラッチ１６は、釣人がリール本体２に設けた操作レバー２０を押し下げることで、ＯＮ位置とＯＦＦ位置とに切り換えが可能となっている。
【００２６】
クラッチ１６がＯＮ位置の状態では、ピニオンギヤ１７が係合位置に移動されて、ハンドル軸１５とスプール軸１０との間が機械的に結合される。これにより、ハンドルアーム１９からハンドル軸１５に入力された回転力がスプール軸１０に伝わり、釣糸を巻き取る方向にスプール１１を回転させることができる。
【００２７】
クラッチ１６がＯＮ位置からＯＦＦ位置に切り換わると、ピニオンギヤ１７が係合位置から係合解除位置に移動されて、ハンドル軸１５とスプール軸１０との結合が解除される。そのため、スプール１１が自由に回転し得る状態に移行し、スプール１１からの釣糸の放出が可能となる。
【００２８】
ところで、スプール軸１０は、一対の組み合わせ軸受２２，２３を介してリール本体２に回転自在に支持されている。一方の組み合わせ軸受２２は、スプール軸１０の一端部１０ａとリール本体２の第１の軸受支持部８との間に介在されている。他方の組み合わせ軸受２３は、スプール軸１０の他端部１０ｂとリール本体２の第２の軸受支持部９との間に介在されている。
【００２９】
図２に示すように、一方の組み合わせ軸受２２で支持されるスプール軸１０の一端部１０ａは、第１の軸受支持部８の内側に同軸状に挿入されている。スプール軸１０の一端部１０ａは、段差部２４を有している。段差部２４は、スプール軸１０の周方向に連続するとともに、スプール軸１０の径方向に沿う合面を有している。
【００３０】
一方の組み合わせ軸受２２は、第１の玉軸受２７と第２の玉軸受２８とを備えている。第１および第２の玉軸受２７，２８は、夫々転がり軸受の一例であって、スプール軸１０の径方向に同軸状に組み合わされている。
【００３１】
第１の玉軸受２７は、内輪２９、外輪３０および転動体としての複数の玉３１を有している。内輪２９は、スプール軸１０と一体に回転するように、このスプール軸１０の一端部１０ａの外周面に隙間なくしっくりとした嵌め合い状態で保持されている。内輪２９は、スプール軸１０の一端部１０ａに取り付けた止め輪３２と段差部２４の合面との間で挟み込まれており、これにより、スプール軸１０の一端部１０ａに対する内輪２９の位置が固定的に定まっている。
【００３２】
なお、内輪２９は、所定の締め代を有する僅かな圧入状態でスプール軸１０の外周面に嵌合されていても良い。
【００３３】
外輪３０は、第１の軸受支持部８の内側で内輪２９を同軸状に取り囲んでいる。玉３１は、内輪２９と外輪３０との間に介在されて、図示しない保持器により保持されている。玉３１は、内輪２９の軌道溝に転がり接触しているとともに、外輪３０の軌道溝に転がり接触している。そのため、内輪２９と外輪３０とは、円周方向に相対的に回転可能となっている。
【００３４】
第２の玉軸受２８は、内輪３４、外輪３５および転動体としての複数の玉３６を有している。内輪３４は、第１の玉軸受２７の外輪３０の外周面に隙間なくしっくりとした嵌め合い状態で保持されて、この外輪３０と一緒に回転するようになっている。外輪３５は、第１の軸受支持部８の内側に隙間なくしっくりとした嵌め合い状態で保持されている。この嵌合状態により、外輪３５は、第１の軸受支持部８との間での相対的な回転を禁止されている。
【００３５】
さらに、外輪３５は、第１の軸受支持部８の開口端に取り付けた止め輪３７と第１の軸受支持部８の終端との間で挟み込まれている。これにより、第１の軸受支持部８に対する外輪３５の位置が固定的に定まっている。
【００３６】
なお、内輪３４は、所定の締め代を有する僅かな圧入状態で外輪３０の外周面に嵌合されていても良いとともに、外輪３５にしても所定の締め代を有する僅かな圧入状態で第１の軸受支持部８の内側に嵌合されていても良い。
【００３７】
玉３６は、内輪３４と外輪３５との間に介在されて、図示しない保持器により保持されている。玉３６は、内輪３４の軌道溝に転がり接触しているとともに、外輪３５の軌道溝に転がり接触している。そのため、内輪３４と外輪３５とは、円周方向に相対的に回転可能となっている。
【００３８】
したがって、第２の玉軸受２８は、第１の玉軸受２７の外輪３０と第１の軸受支持部８との間に介在されて、第1の玉軸受け２７の外輪３０を第１の軸受支持部８に回転自在に支持している。
【００３９】
図２に示すように、他方の組み合わせ軸受２３で支持されるスプール軸１０の他端部１０ｂは、第２の軸受支持部９の内側に同軸状に挿入されている。スプール軸１０の他端部１０ｂは、段差部４０を有している。段差部４０は、スプール軸１０の周方向に連続するとともに、スプール軸１０の径方向に沿う合面を有している。
【００４０】
他方の組み合わせ軸受２３は、第１の玉軸受４１と第２の玉軸受４２とを備えている。第１および第２の玉軸受４１，４２は、夫々転がり軸受の一例であって、スプール軸１０の径方向に同軸状に組み合わされている。
【００４１】
第１の玉軸受４１は、内輪４３、外輪４４および転動体としての複数の玉４５を有している。内輪４３は、スプール軸１０と一体に回転するように、このスプール軸１０の他端部１０ｂの外周面に隙間なくしっくりとした嵌め合い状態で保持されている。内輪４３は、スプール軸１０の他端部１０ｂに取り付けた止め輪４６と段差部４０の合面との間で挟み込まれており、これにより、スプール軸１０の他端部１０ｂに対する内輪４３の位置が固定的に定まっている。
【００４２】
外輪４４は、第２の軸受支持部９の内側で内輪４３を同軸状に取り囲んでいる。玉４５は、内輪４３と外輪４４との間に介在されて、図示しない保持器により保持されている。玉４５は、内輪４３の軌道溝に転がり接触しているとともに、外輪４４の軌道溝に転がり接触している。そのため、内輪４３と外輪４４とは、円周方向に相対的に回転可能となっている。
【００４３】
第２の玉軸受４２は、内輪４８、外輪４９および転動体としての複数の玉５０を有している。内輪４８は、第１の玉軸受４１の外輪４４の外周面に隙間なくしっくりとした嵌め合い状態で保持されて、この外輪４４と一緒に回転するようになっている。外輪４９は、第２の軸受支持部９の内側に隙間なくしっくりとした嵌め合い状態で保持されている。この嵌合状態により、外輪４９は、第２の軸受支持部９との間での相対的な回転が禁止されている。
【００４４】
さらに、外輪４９は、第２の軸受支持部９の開口端に取り付けた止め輪５１により第２の軸受支持部９に抜け止めされている。これにより、第２の軸受支持部９に対する外輪４９の位置が固定的に定まっている。
【００４５】
なお、内輪４８は、所定の締め代を有する僅かな圧入状態で外輪４４の外周面に嵌合されていても良いとともに、外輪４９にしても所定の締め代を有する僅かな圧入状態で第２の軸受支持部９の内側に嵌合されていても良い。
【００４６】
玉５０は、内輪４８と外輪４９との間に介在されて、図示しない保持器により保持されている。玉５０は、内輪４８の軌道溝に転がり接触するとともに、外輪４９の軌道溝に転がり接触している。そのため、内輪４８と外輪４９とは、円周方向に相対的に回転可能となっている。
【００４７】
したがって、第２の玉軸受４２は、第１の玉軸受４１の外輪４４と第２の軸受支持部９との間に介在されて、第1の玉軸受４１の外輪４４を第２の軸受支持部９に回転自在に支持している。
【００４８】
このような構成の魚釣用リール１において、リール本体２のクラッチ１６をＯＮ位置からＯＦＦ位置に切り換えて釣竿をキャスティングすると、飛翔する仕掛けにより釣糸が引っ張られる。これによりスプール１１の回転が一気に立ち上がり、スプール１１から釣糸が高速で放出される。
【００４９】
スプール１１と一緒に回転するスプール軸１０は、一対の組み合わせ軸受２２，２３を介してリール本体２に支持されている。この際、スプール軸１０を受ける第1の玉軸受２７，４１にあっては、その外輪３０，４４がリール本体２の第1および第２の軸受支持部８，９に直接圧入されておらず、第１および第２の軸受支持部８，９に対し第２の玉軸受２８，４２を介して回転自在に支持されている。言い換えると、スプール軸１０を受ける第1の玉軸受２７，４１にあっては、その外輪３０，４４がリール本体２に対し自由に回転し得る状態に保たれている。
【００５０】
このため、スプール軸１０の回転に伴い、第１の玉軸受２７，４１の玉３１，４５と外輪３０，４４との接触部分に生じる固有の回転抵抗により、外輪３０，４４を回そうとする力が内輪２９，４３の方向から加わったとしても、外輪３０，４４は内輪２９，４３に追従して滑らかに回転することになる。
【００５１】
この結果、第1の玉軸受２７，４１の内輪２９，４３と外輪３０，４４との間に生じる回転抵抗を軽減することができ、キャスティング開始直後の初期段階での不用な回転抵抗を可及的に小さくできるので、スプール軸１０の回転の立ち上がりが迅速となる。これにより、スプール１１からの釣糸の放出が速やかに行われて、釣糸の飛距離を充分に確保することができ、キャスティング時の遠投性能を飛躍的に高めることができる。
【００５２】
なお、本発明は上記第１の実施の形態に特定されるものではなく、発明の主旨を逸脱しない範囲内で種々変更して実施可能である。
【００５３】
例えば、図３および図４は本発明の第２の実施の形態を開示している。
【００５４】
この第２の実施の形態は、スプール軸１０の一端部１０ａを回転自在に支持する軸受部分の構造が上記第１の実施の形態と相違している。
【００５５】
図３に示すように、スプール軸１０の一端部１０ａは、軸受ユニット６０を介してリール本体２の第１の軸受支持部８に回転自在に支持されている。軸受ユニット６０は、上記第１の実施の形態に開示された第１および第２の玉軸受２７，２８を一体構造物として組み立てることで、一つのモジュールとしてユニット化したものである。
【００５６】
すなわち、第２の実施の形態では、第１の玉軸受２７の外輪３０と第２の玉軸受２８の内輪３４の間に結合部材６１が介在されている。結合部材６１は、例えば金属のような硬質な材料を用いて中空の円筒状に形成されている。結合部材６１の内面６１ａおよび外面６１ｂは、夫々機械加工により高精度に仕上げられている。
【００５７】
さらに、結合部材６１の一端に係止壁６２が一体に形成されている。係止壁６２は、結合部材６１の内面６１ａよりも径方向内側に突出する内端６２ａと、結合部材６１の外面６１ｂよりも径方向外側に突出する外端６２ｂとを有するとともに、結合部材６１の周方向に連続している。
【００５８】
第１の玉軸受２７は、結合部材６１の内側に所定の締め代で着脱可能に圧入されており、その外輪３０が結合部材６１の内面６１ａに精度よく接している。第２の玉軸受２８は、結合部材６１の外側に所定の締め代で着脱可能に圧入されており、その内輪３４が結合部材６１の外面６１ｂに精度よく接している。
【００５９】
そのため、結合部材６１は、第１の玉軸受２７の外輪３０と第２の玉軸受２８の内輪３４とを同軸状に連結しており、これら結合部材６１、外輪３０および内輪３４は、同一方向に一体的に回転するようになっている。
【００６０】
第１の玉軸受２７の外輪３０は、結合部材６１の内面６１ａに取り付けた止め輪６３と係止壁６２の内端６２ａとの間で挟み込まれている。同様に、第２の玉軸受２８の内輪３４は、結合部材６１の外面６１ｂに取り付けた止め輪６４の外端６２ｂとの間で挟み込まれている。これにより、結合部材６１の軸方向に対する第1および第２の玉軸受２７，２８の位置が固定的に定まっている。
【００６１】
このような第２の実施の形態によると、第１の玉軸受２７と第２の玉軸受２８とが結合部材６１を介して一体化されているので、これら第１および第２の玉軸受２７，２８を一つの軸受ユニット６０として取り扱うことができる。
【００６２】
このため、第１および第２の玉軸受２７，２８をリール本体２に組み込んだり、あるいはリール本体２から取り外す作業を容易に行うことができる。したがって、魚釣用リール１の製造時の作業性は勿論のこと、例えばスプール軸１０の軸受部分に注油を行なったり、リール本体２の内部を清掃するというような魚釣用リール１のメンテナンス作業時の作業性を改善することができる。
【００６３】
さらに、上記構成によれば、結合部材６１の存在により、第１の玉軸受２７と第２の玉軸受２８との同軸度や位置関係が固定的に定まっている。そのため、例えば軸受ユニット６０をリール本体２に対し着脱を繰り返した場合でも、第１の玉軸受２７と第２の玉軸受２８との位置関係が変動することはなく、スプール軸１０を常に精度よく支持することができる。
【００６４】
なお、上記第２の実施の形態では、第１および第２の玉軸受２７，２８を一体化した軸受ユニット６０でスプール軸１０の一端部１０ａを支持するようにしたが、スプール軸１０の他端部１０ｂも同様の軸受ユニット６０で支持するようにしてもよい。
【００６５】
図５ないし図８は、本発明の第３の実施の形態を開示している。
【００６６】
第３の実施の形態は、スプール軸１０の一端部１０ａおよび他端部１０ｂを回転自在に支持する軸受部分の構成が第１の実施の形態と相違している。それ以外の魚釣用リール１の基本的な構成は、第１の実施の形態と同様である。そのため、第３の実施の形態において、第１の実施の形態と同一の構成部分には同一の参照符号を付して、その説明を省略する。
【００６７】
図５および図６に示すように、スプール軸１０の一端部１０ａは、第１の軸受ユニット７０を介してリール本体２の第１の軸受支持部８に回転自在に支持されている。第１の軸受ユニット７０は、第１および第２の玉軸受２７，２８を一体構造物として組み立てることで、一つのモジュールとしてユニット化したものである。
【００６８】
図６および図７に示すように、第１の軸受ユニット７０は、第１の玉軸受２７と第２の玉軸受２８との間に介在される結合部材７１を備えている。結合部材７１は、例えば金属のような硬質な材料を用いて中空の円筒状に形成されている。
【００６９】
結合部材７１は、第１の玉軸受２７を支持する第１の支持部７２と、第２の玉軸受２８を支持する第２の支持部７３と、を有している。第１の支持部７２と第２の支持部７３とは、スプール軸１０の軸方向に同軸状に並んでいるとともに、第１の支持部７２は第２の支持部７３よりも大きな外径を有している。第１の支持部７２の内面７２ａおよび第２の支持部７３の外面７３ａは、夫々機械加工により高精度に仕上げられている。
【００７０】
第１の支持部７２と第２の支持部７３との間に段差部７４が形成されている。段差部７４は、結合部材７１の径方向に延びる第１および第２の合面７４ａ，７４ｂを有している。段差部７４の第１の合面７４ａは、第１の支持部７２の内側に露出するとともに、第２の合面７４ｂは、第２の支持部７３の外側に露出している。
【００７１】
第１の玉軸受２７は、第１の支持部７２の内側に所定の締め代で圧入されている。第１の玉軸受２７の外輪３０は、第１の支持部７２の内面７２ａに精度よく接しているとともに、第１の支持部７２の内面７２ａに取り付けた止め輪７５と段差部７４の第１の合面７４ａとの間で挟み込まれている。
【００７２】
第２の玉軸受２８は、第２の支持部７３の外側に所定の締め代で圧入されている。第２の玉軸受２８の内輪３４は、第２の支持部７３の外面７３ａに精度よく接しているとともに、段差部７４の第２の合面７４ｂに突き当たっている。
【００７３】
このため、結合部材７１は、第１の玉軸受２７の外輪３０と第２の玉軸受２８の内輪３４とを連結しており、これら結合部材７１、外輪３０および内輪３４は、同一方向に一体的に回転するようになっている。
【００７４】
図７に示すように、第１および第２の玉軸受２７，２８を結合部材７１に圧入した状態では、第１の玉軸受２７と第２の玉軸受２８とは、結合部材７１の軸方向に互いにずれている。それとともに、第１の玉軸受２７の外輪３０と第２の玉軸受２８の内輪３４とは、結合部材７１の段差部７４を間に挟んで互いに隣り合っている。そのため、第１の軸受ユニット７１をスプール軸１０の軸方向から見た場合に、第１の玉軸受２７と第２の玉軸受２８とは、スプール軸１０の径方向に部分的に重なり合っている。
【００７５】
一方、図６および図８に示すように、スプール軸１０の他端部１０ｂは、第２の軸受ユニット７６を介してリール本体２の第２の軸受支持部９に回転自在に支持されている。第２の軸受ユニット７６は、第１および第２の玉軸受４１，４２を一体構造物として組み立てることで、一つのモジュールとしてユニット化したものである。
【００７６】
図８に示すように、第２の軸受ユニット７６は、第１の玉軸受４１と第２の玉軸受４２との間に介在される結合部材７７を備えている。結合部材７７は、例えば金属のような硬質な材料を用いて中空の円筒状に形成されている。
【００７７】
結合部材７７は、第１の玉軸受４１を支持する第１の支持部７８と、第２の玉軸受４２を支持する第２の支持部７９と、を有している。第１の支持部７８と第２の支持部７９とは、スプール軸１０の軸方向に同軸状に並んでいるとともに、第１の支持部７８は第２の支持部７９よりも大きな外径を有している。第１の支持部７８の内面７８ａおよび第２の支持部７９の外面７９ａは、夫々機械加工により高精度に仕上げられている。
【００７８】
第１の支持部７８と第２の支持部７９との間に段差部８０が形成されている。段差部８０は、結合部材７７の径方向に延びる第１および第２の合面８１ａ，８１ｂを有している。段差部８０の第１の合面８１ａは、第１の支持部７８の内側に露出するとともに、第２の合面８１ｂは、第２の支持部７９の外側に露出している。
【００７９】
第１の玉軸受４１は、第１の支持部７８の内側に所定の締め代で圧入されている。第１の玉軸受４１の外輪４４は、第１の支持部７８の内面７８ａに精度よく接しているとともに、段差部８０の第１の合面８１ａに突き当たっている。
【００８０】
第２の玉軸受４２は、第２の支持部７９の外側に所定の締め代で圧入されている。第２の玉軸受４２の内輪４８は、第２の支持部７９の外面７９ａに精度よく接しているとともに、段差部８０の第２の合面８１ｂに突き当たっている。
【００８１】
このため、結合部材７７は、第１の玉軸受４１の外輪４４と第２の玉軸受４２の内輪４８とを連結しており、これら結合部材７７、外輪４４および内輪４８は、同一方向に一体的に回転するようになっている。
【００８２】
図８に示すように、第１および第２の玉軸受４１，４２を結合部材７７に圧入した状態では、第１の玉軸受４１と第２の玉軸受４２とは、結合部材７７の軸方向に互いにずれている。それとともに、第１の玉軸受４１の外輪４４と第２の玉軸受４２の内輪４８とが結合部材７７の段差部８０を間に挟んで互いに隣り合っている。そのため、第２の軸受ユニット７６をスプール軸１０の軸方向から見た場合に、第１の玉軸受４１と第２の玉軸受４２とは、スプール軸１０の径方向に互いに重なり合っている。
【００８３】
このような第３の実施の形態によると、上記第２の実施の形態で得られる効果に加えて、以下に述べるような有益な効果が得られる。すなわち、第１の軸受ユニット７０の第１および第２の玉軸受２７，２８は、スプール軸１０の軸方向にずれているとともに、このスプール軸１０の径方向に部分的に重なり合うような位置関係を保っている。
【００８４】
同様に、第２の軸受ユニット７６の第１および第２の玉軸受４１，４２は、スプール軸１０の軸方向にずれているとともに、このスプール軸１０の径方向に部分的に重なり合うような位置関係を保っている。
【００８５】
そのため、第１および第２の軸受ユニット７０，７１を径方向にコンパクトに形成することができる。よって、スプール軸１０の一端部１０ａを二つの玉軸受２７，２８を介して支持するとともに、スプール軸１０の他端部１０ｂを二つの第２の玉軸受４１，４２を介して支持するようにしたにも拘らず、リール本体２の大型化やコストアップを極力少なく抑えることができる。
【００８６】
図９および図１０は、本発明の第４の実施の形態を開示している。
【００８７】
第４の実施の形態は、上記第３の実施の形態に係る第１および第２の軸受ユニット７０，７６をさらに発展させたものであって、第１および第２の軸受ユニット７０，７６の基本的な構成は、第３の実施の形態と同様である。
【００８８】
図９は、第１の軸受ユニット７０を開示している。第１の軸受ユニット７０では、結合部材７１の第２の支持部７３に延長部９０が形成されている。延長部９０は、段差部７４とは反対側の端部に位置するとともに、第２の支持部７３と同径の円筒状をなしている。延長部９０の外周面に止め輪９１が取り付けられている。止め輪９１は、段差部７４の第２の合面７４ｂとの間で第２の玉軸受２８の内輪３４を挟み込んでいる。これにより、結合部材７１の軸方向に対する第２の玉軸受２８の位置が固定的に定まっている。
【００８９】
図１０は、第２の軸受ユニット７６を開示している。第２の軸受ユニット７６では、結合部材７７の第１および第２の支持部７８，７９に夫々延長部９２，９３が形成されている。
【００９０】
第１の支持部７８の延長部９２は、段差部８０とは反対側の端部に位置するとともに、第１の支持部７８と同径の円筒状をなしている。延長部９２の内周面に止め輪９４が取り付けられている。止め輪９４は、段差部８０の第１の合面８１ａとの間で第１の玉軸受４１の外輪４４を挟み込んでいる。これにより、結合部材７７の軸方向に対する第１の玉軸受４１の位置が固定的に定まっている。
【００９１】
第２の支持部７９の延長部９３は、段差部８０とは反対側の端部に位置するとともに、第２の支持部７９と同径の円筒状をなしている。延長部９３の外周面に止め輪９５が取り付けられている。止め輪９５は、段差部８０の第２の合面８１ｂとの間で第２の玉軸受４２の内輪４８を挟み込んでいる。これにより、結合部材７７の軸方向に対する第２の玉軸受４２の位置が固定的に定まっている。
【００９２】
図１１は、本発明の第５の実施の形態を開示している。
【００９３】
この第５の実施の形態は、第２の軸受ユニット７６の結合部材７７の構成が上記第３の実施の形態と相違している。第５の実施の形態では、第２の支持部７９の左端部が第１の支持部７８の右端部を外側から同軸状に取り囲んでいる。そのため、第２の支持部７９の外面７９ａは、第１の支持部７８の内面７８ａよりも結合部材７７の径方向外側に位置している。
【００９４】
図１１に示すように、第１の支持部７８の内面７８ａと第２の支持部７９の内面７９ｂとの境界部分に段差１００が形成されている。段差１００は、結合部材７７の径方向に沿う合面を有している。さらに、第２の支持部７９の内面７９ｂに止め輪１０１が取り付けられている。止め輪１０１は、段差１００の合面に連続しており、これら段差１００の合面および止め輪１０１に第１の玉軸受４１の外輪４４が突き当たっている。
【００９５】
第１の支持部７８の外面７８ｂと第２の支持部７９の外面７９ａとの境界部分に段差１０２が形成されている。段差１０２は、結合部材７７の径方向に沿う合面を有し、この段差１０２の合面に第２の玉軸受４２の内輪４８が突き当たっている。
【００９６】
結合部材７７に第１および第２の玉軸受４１，４２を圧入した状態では、これら軸受４１，４２が結合部材７７の軸方向に部分的に重なり合うような位置関係を保っている。このため、第５の実施の形態によれば、第１および第２の玉軸受４１，４２が重なり合う長さの分だけ、第２の軸受ユニット７６を軸方向にコンパクトに形成することができ、リール本体２の大型化やコストアップを極力少なく抑えることができる。
【００９７】
図１２は、本発明の第６の実施の形態を開示している。
【００９８】
この第６の実施の形態は、上記第５の実施の形態をさらに発展させたものであって、第２の軸受ユニット７６の基本的な構成は、第５の実施の形態と同様である。
【００９９】
図１２に示すように、結合部材７７の第１および第２の支持部７８，７９に夫々延長部１１０，１１１が形成されている。
【０１００】
第１の支持部７８の延長部１１０は、第２の支持部７９とは反対側の端部に位置するとともに、第１の支持部７８と同径の円筒状をなしている。延長部１１０の内周面に止め輪１１２が取り付けられている。止め輪１１２は、段差１００との間で第１の玉軸受４１の外輪４４を挟み込んでいる。これにより、結合部材７７の軸方向に対する第１の玉軸受４１の位置が固定的に定まっている。
【０１０１】
第２の支持部７９の延長部１１１は、第１の支持部７８とは反対側の端部に位置するとともに、第２の支持部７９と同径の円筒状をなしている。延長部１１１の外周面に止め輪１１３が取り付けられている。止め輪１１３は、段差１０２との間で第２の玉軸受４２の内輪４８を挟み込んでいる。これにより、結合部材７７の軸方向に対する第２の玉軸受４２の位置が固定的に定まっている。
【０１０２】
図１３ないし図１７は、本発明の第７の実施の形態を開示している。
【０１０３】
この第７の実施の形態は、スプール軸１０の一端部１０ａを上記第２の実施の形態の軸受ユニット６０を介して支持するとともに、釣糸が放出される時にスプール軸１０に磁気制動力を付与する制動機構１２０を追加した点が上記第１の実施の形態と相違している。それ以外の魚釣用リール１の基本的な構成は、上記第１の実施の形態と同様である。そのため、第７の実施の形態において、上記第１の実施の形態と同一の構成部分には同一の参照符号を付して、その説明を省略する。
【０１０４】
図１３および図１４に示すように、リール本体２の第１のサイドカバー５ａは、凹部１２１を備えている。凹部１２１は、スプール１１の左端部と同軸状に向かい合っており、この凹部１２１の終端面に第１の軸受支持部８が一体に形成されている。凹部１２１は、第１の軸受支持部８を同軸状に取り囲む内周面１２１ａを有している。
【０１０５】
また、スプール１１の巻胴部１３の内周面のうち、第１のサイドカバー５ａと隣り合う部分は、第１のサイドカバー５ａの方向に進むに従いスプール軸１０の径方向外側に向けて傾斜する平滑なテーパ面１１ａをなしている。
【０１０６】
上記制動機構１２０は、スプール１１から釣糸が高速で放出される時に、スプール１１の過剰回転を抑制するバックラッシュ防止機構を構成しており、スプール１１と第１のサイドカバー５ａとの間に収容されている。
【０１０７】
図１４に示すように、制動機構１２０は、複数の第１の磁石１２２、複数の第２の磁石１２３、第１の移動部材１２４、一対の第２の移動部材１２５ａ，１２５ｂおよび導電体１２６を備えている。
【０１０８】
第１の磁石１２２は、第１のサイドカバー５ａの第１の軸受支持部８の外周面に支持されて、第１の軸受支持部８の周方向に間隔を存して並んでいる。隣り合う第１の磁石１２２においては、第１の軸受支持部８の径方向外側を向く磁極が互いに異なっている。第２の磁石１２３は、凹部１２１の内周面１２１ａに支持されて、凹部１２１の周方向に間隔を存して並んでいる。隣り合う第２の磁石１２３においては、凹部１２１の径方向内側を向く磁極が互いに異なっている。
【０１０９】
さらに、第１の磁石１２２の外周面と第２の磁石１２３の内周面とは、隙間１２７を介して互いに向かい合っている。隙間１２７は、第１の軸受支持部８の周方向に連続するとともに、スプール１１に向けて開口している。
【０１１０】
上記第１の移動部材１２４は、スプール軸１０の上に取り付けられて、上記スプール１１のテーパ面１１ａの内側に位置している。第１の移動部材１２４は、スプール軸１０が貫通するボス部１２９と支持壁１３０とを有している。ボス部１２９は、スプール軸１０と一体に回転しつつ、スプール軸１０の軸方向に移動可能にスプール軸１０に支持されている。支持壁１３０は、ボス部１２９の外周面から径方向外側に向けて拡がるような円盤状をなしている。
【０１１１】
第２の移動部材１２５ａ，１２５ｂは、例えば幾分かの弾性を有する合成樹脂材料により形成されている。第２の移動部材１２５ａ，１２５ｂは、支持壁１３０に支持されている。第２の移動部材１２５ａ，１２５ｂは、ボス部１２９を間に挟んで向かい合うとともに、スプール１１の径方向に移動可能となっている。
【０１１２】
第２の移動部材１２５ａ，１２５ｂは、夫々スプール１１のテーパ面１１ａと向かい合う外面１３１を有している。外面１３１は、テーパ面１１ａに沿うように傾斜しているとともに、テーパ面１１ａと同様に平滑に仕上げられている。
【０１１３】
第２の移動部材１２５ａ，１２５ｂは、第１の移動部材１２４を介してスプール１１と一緒に回転する。第２の移動部材１２５ａ，１２５ｂは、スプール１１の回転に伴う遠心力を受けた時にスプール１１の径方向外側に向けて移動し、その外面１３１がスプール１１のテーパ面１１ａに押し付けられる。
【０１１４】
これにより、第２の移動部材１２５ａ，１２５ｂとスプール１１との接触部分に、第２の移動部材１２５ａ，１２５ｂを第１および第２の磁石１２２，１２３に向けて左側に押し出そうとする力が発生する。この結果、第１の移動部材１２４が第２の移動部材１２５ａ，１２５ｂを介して第１および第２の磁石１２２，１２３に近づく方向に移動するようになっている。
【０１１５】
上記導電体１２６は、例えばアルミニウム合金や銅のような金属材料により円筒状に形成されている。導電体１２６は、第１の移動部材１２４の支持壁１３０の外周部に支持されて、第１の移動部材１２４と一緒に回転しつつ、スプール軸１０の軸方向に移動可能となっている。導電体１２６は、スプール軸１０と同軸状をなすとともに、第１の移動部材１２４の支持壁１３０から第１の磁石１２２と第２の磁石１２３との間の隙間１２７に向けて突出している。
【０１１６】
スプール軸１０の外周面上に圧縮コイルばね１３２が装着されている。圧縮コイルばね１３２は、第１の移動部材１２４のボス部１２９を第１および第２の磁石１２２，１２３から遠ざかる方向に付勢するとともに、このボス部１２９をスプール１１のボス部１２との間で挟み込んでいる。このため、スプール１１が停止している限り、導電体１２６は圧縮コイルばね１３２によって第１および第２の磁石１２２，１２３から遠ざかる方向に付勢されている。
【０１１７】
図１４および図１５に示すように、第１の移動部材１２４のボス部１２９は、支持壁１３０の左側に突出する円筒状の延出部１３５を有している。延出部１３５は、導電体１２６によって取り囲まれているとともに、この延出部１３５の先端に圧縮コイルばね１３２が当接している。
【０１１８】
延出部１３５の外周面上に中空円筒状のロック部材１３６が取り付けられている。ロック部材１３６は、導電体１２６の内側で圧縮コイルばね１３２を覆っている。導電体１２６の内周面とロック部材１３６の外周面との間には、手の指先あるいは工具等を差し入れることができる程度の隙間１３７が形成されている。
【０１１９】
ロック部材１３６は、例えば幾分かの弾性を有する合成樹脂材料により成形されて、径方向に弾性変形が可能となっている。図１５に示すように、ロック部材１３６の軸方向に沿う一端に係合突起１３８が形成されている。係合突起１３８は、第２の移動部材１２５ａ，１２５ｂに向けて突出している。
【０１２０】
第２の移動部材１２５ａ，１２５ｂは、夫々係合凹部１３９を有している。係合凹部１３９は、ロック部材１３６の係合突起１３８が取り外し可能に係合されるものであり、第２の移動部材１２５ａ，１２５ｂのうち第１の移動部材１２４のボス部１２９に隣接する端部に位置している。
【０１２１】
図１５および図１７に最もよく示されるように、ロック部材１３６の内周面に凸部１４１が形成されている。凸部１４１は、ロック部材１３６の軸方向に沿う一端に位置するとともに、ロック部材１３６の内周面から延出部１３５の外周面に向けて突出している。
【０１２２】
延出部１３５の外周面に第１および第２の凹部１４２，１４３が形成されている。第１および第２の凹部１４２，１４３は、ロック部材１３６の凸部１４１が選択的に取り外し可能に係合されるものであり、延出部１３５の軸方向に間隔を存して並んでいる。
【０１２３】
ロック部材１３６は、第１の位置と第２の位置との間で延出部１３５の軸方向に移動可能となっている。図１４および図１５は、ロック部材１３６が第１の位置に移動された状態を開示している。第１の位置では、ロック部材１３６が第２の移動部材１２５ａ，１２５ｂから遠ざかる方向に移動されて、ロック部材１３６の係合突起１３８が第２の移動部材１２５ａ，１２５ｂの係合凹部１３９から離脱している。
【０１２４】
それとともに、ロック部材１３６の凸部１４１が第１の凹部１４２に係合されており、これによりロック部材１３６が第１の位置に保持されている。
【０１２５】
このため、ロック部材１３６が第１の位置にある限り、第２の移動部材１２５ａ，１２５ｂは、スプール１１の径方向に自由に動き得る状態にある。よって、第２の移動部材１２５ａ，１２５ｂは、スプール１１の回転に伴う遠心力が作用した時点で、スプール１１の径方向外側に向けて移動を開始する。
【０１２６】
図１６および図１７は、ロック部材１３６が第２の位置に移動された状態を開示している。第２の位置では、ロック部材１３６が第２の移動部材１２５ａ，１２５ｂに近づく方向に移動されて、このロック部材１３６の係合突起１３８が第２の移動部材１２５ａ，１２５ｂの係合凹部１３９に係合している。
【０１２７】
それとともに、ロック部材１３６の凸部１４１が第１の凹部１４２から離脱して第２の凹部１４３に係合されており、これによりロック部材１３６が第２の位置に保持されている。
【０１２８】
そのため、ロック部材１３６が第２の位置にある限り、スプール１１の径方向に沿う第２の移動部材１２５ａ，１２５ｂの移動が制限されている。この結果、第２の移動部材１２５ａ，１２５ｂは、スプール１１の回転に伴う遠心力が作用した場合でも、第１の移動部材１２４の支持壁１３０に移動不能にロックされる。
【０１２９】
図１４に示すように、ロック部材１３６の係合突起１３８とは反対側の他端は、導電体１２６の開口端の内側に位置するとともに、リール本体２の側板４ａの開口部６に隣接している。ロック部材１３６の他端は、リール本体２の側板４ａから第１のサイドカバー５ａを取り外した時に、側板４ａの開口部６からリール本体２の外に露出する。
【０１３０】
このため、開口部６から隙間１３７内に手の指先や工具を差し入れて、ロック部材１３６の他端を掴むことで、ロック部材１３６を第１の位置又は第２の位置のいずれかに選択的に移動させることができる。
【０１３１】
このような構成において、ロック部材１３６を第１の位置に移動させた状態では、第２の移動部材１２５ａ，１２５ｂがスプール１１の径方向への自由な移動を許容する作動状態に保持されている。
【０１３２】
このため、釣竿をキャスティングすると、釣糸の放出に追従してスプール１１が回転するとともに、スプール軸１０の上の第１および第２の移動部材１２４，１２５ａ，１２５ｂがスプール１１と一緒に回転する。
【０１３３】
キャスティングの直後では、スプール１１の回転の立ち上がりが十分でないため、第２の移動部材１２５ａ，１２５ｂに作用する遠心力は小さい。このため、第２の移動部材１２５ａ，１２５ｂの外面１３１がスプール１１のテーパ面１１ａに押し付けられても、第１の移動部材１２４を圧縮コイルばね１３２の付勢力に抗して第１および第２の磁石１２２，１２３の方向に押し出すことはできない。
【０１３４】
したがって、導電体１２６にしても第１の磁石１２２と第２の磁石１２３との間の隙間１２７に入り込むことができない。この結果、導電体１２６が第１の磁石１２２と第２の磁石１２３との間に形成される磁束を横切ることはないので、導電体１２６に渦電流は発生せず、導電体１２６と一緒に回転するスプール１１に磁気制動力は生じない。
【０１３５】
キャスティングの中期では、釣糸の放出に伴ってスプール１１の回転速度が増大するので、第２の移動部材１２５ａ，１２５ｂに作用する遠心力が大きくなる。この結果、第２の移動部材１２５ａ，１２５ｂの外面１３１がスプール１１のテーパ面１１ａに強く押し付けられ、第１の移動部材１２４を第１および第２の磁石１２２，１２３の方向に押し出そうとする力が圧縮コイルばね１３２の付勢力に打ち勝つ。
【０１３６】
そのため、第１の移動部材１２４が導電体１２６を伴って第１および第２の磁石１２２，１２３に近づく方向に移動を開始し、導電体１２６の先端部が第１の磁石１２２と第２の磁石１２３との間の隙間１２７に入り込む。
【０１３７】
この結果、導電体１２６が第１の磁石１２２と第２の磁石１２３との間に形成される磁束を横切るので、第１および第２の磁石１２２，１２３の磁力の作用により導電体１２６に渦電流が発生する。渦電流は、磁束を横切る部分の導電体１２６の面積およびスプール１１の回転速度に比例して増大し、この渦電流によりスプール１１に作用する磁気制動力も大きくなる。
【０１３８】
このことから、キャスティングの中期においては、釣糸にバックラッシュ現象を生じさせる原因となるスプール１１の回転速度の過度の上昇を適度に抑制することができる。
【０１３９】
キャスティングの終期において、スプール１１の回転速度が低下すると、第２の移動部材１２５ａ，１２５ｂに作用する遠心力が小さくなる。このため、第２の移動部材１２５ａ，１２５ｂの外面１３１をスプール１１のテーパ面１１ａに押し付ける力が減少し、第１の移動部材１２４を第１および第２の磁石１２２，１２３に近づく方向に押し出そうとする力が圧縮コイルばね１３２の付勢力よりも小さくなる。
【０１４０】
この結果、第１の移動部材１２４が圧縮コイルばね１３２によって第１および第２の磁石１２２，１２３から遠ざかる方向に押し戻され、導電体１２６の先端部が第１の磁石１２２と第２の磁石１２３との間の隙間１２７から徐々に抜け出す。これにより、第１の磁石１２２と第２の磁石１２３との間に形成される磁束を横切る導電体１２６の面積が減少し、導電体１２６に発生する渦電流ひいてはスプール１１に生じる磁気制動力が、磁束を横切る部分の導電体１２６の面積およびスプール１１の回転速度の減少に比例して小さくなる。
【０１４１】
よって、キャスティングの終期においても、スプール１１に作用する磁気制動力が急激に低下することはなく、回転するスプール１１の慣性に伴うバックラッシュ現象の発生を未然に防止できる。
【０１４２】
上記第７の実施の形態では、ロック部材１３６を第１の位置又は第２の位置に移動させることで、第２の作動部材１２５ａ，１２５ｂが個々にスプール１１の径方向への自由な移動を許容する作動状態と、スプール１１の径方向への移動を禁止する非作動状態とのいずれかに切り換え可能となっている。そのため、一方の第２の移動部材１２５ａを作動状態に切り換え、他方の第２の移動部材１２５ｂを非作動状態に切り換えることで、遠心力を受けて移動する第２の移動部材１２５ａ，１２５ｂの数を変化させることができる。
【０１４３】
この結果、第２の移動部材１２５ａ，１２５ｂが遠心力を受けた時に、導電体１２６を第１および第２の磁石１２２，１２３に向けて押し出すタイミングを変更することができる。したがって、スプール１１に対する磁気制動力の効き具合を、例えば釣人の好みや釣場の状況等に応じて調節することができ、キャスティング時にバックラッシュ現象を起こさないようにする操作を、特に熟練を要することなく容易に行うことができる。
【０１４４】
このような第７の実施の形態によると、スプール軸１０を受ける第１の玉軸受２７，４１の回転抵抗を可能な限り小さく抑えつつ、スプール軸１０の上に組み込んだ制動機構１２０を用いてスプール１１の過剰回転に伴うバックラッシュ現象の発生を抑制することができる。
【０１４５】
したがって、キャスティング時の釣糸の飛距離を充分に確保しつつ、釣糸の絡みや食い込み等の不具合を解消することができ、使い易い魚釣用リール１を提供することができる。
【０１４６】
なお、スプールの径方向に移動可能な第２の移動部材の数は、上記第７の実施の形態に特定されるものではなく、例えば三個ないし六個の第２の移動部材をスプール軸を中心に放射状に配置してもよい。
【０１４７】
上記各実施の形態では、転がり軸受として玉軸受を用いているが、本発明はこれに特定されるものではなく、例えばころ軸受を用いてもよい。
【０１４８】
さらに、上記各実施の形態では、スプール軸を受ける第１の玉軸受を一つの第２の玉軸受で回転自在に支持しているが、スペースが許せば第１の玉軸受を複数の第２の玉軸受を用いて支持するようにしてもよい。
【図面の簡単な説明】
【０１４９】
【図１】本発明の第１の実施の形態に係る魚釣用リールを一部断面で示す平面図。
【図２】図１のＦ２部を拡大して示す断面図。
【図３】本発明の第２の実施の形態において、スプール軸の一端部の軸受構造を示す断面図。
【図４】本発明の第２の実施の形態に係る軸受ユニットの断面図。
【図５】本発明の第３の実施の形態に係る魚釣用リールを一部断面で示す平面図。
【図６】図５のＦ６部を拡大して示す断面図。
【図７】本発明の第３の実施の形態において、スプール軸の一端部の軸受構造を示す断面図。
【図８】本発明の第３の実施の形態において、スプール軸の他端部の軸受構造を示す断面図。
【図９】本発明の第４の実施の形態において、スプール軸の一端部を支持する第１の軸受ユニットの断面図。
【図１０】本発明の第４の実施の形態において、スプール軸の他端部を支持する第２の軸受ユニットの断面図。
【図１１】本発明の第５の実施の形態において、スプール軸の他端部の軸受構造を示す断面図。
【図１２】本発明の第６の実施の形態において、スプール軸の他端部を支持する第２の軸受ユニットの断面図。
【図１３】本発明の第７の実施の形態に係る魚釣用リールを一部断面で示す平面図。
【図１４】図１３のＦ１４部を拡大して示す断面図。
【図１５】図１４のＦ１５部を拡大して示す断面図。
【図１６】本発明の第７の実施の形態において、制動機構の第２の移動部材を非作動状態に切り換えた状態を示す断面図。
【図１７】図１６のＦ１７部を拡大して示す断面図。
【符号の説明】
【０１５０】
２…リール本体、１０…スプール軸、１１…スプール、２７，４１…第１の転がり軸受（第１の玉軸受）、２８，４２…第２の転がり軸受（第２の玉軸受）、２９，４３…内輪、３０，４４…外輪、３１，４５…転動体（玉）、６０，７０，７１…軸受ユニット（第１の軸受ユニット、第２の軸受ユニット）、６１，７１，７７…結合部材。
【図１】
2008206473.tif 000003
【図２】
2008206473.tif 000004
【図３】
2008206473.tif 000005
【図４】
2008206473.tif 000006
【図５】
2008206473.tif 000007
【図６】
2008206473.tif 000008
【図７】
2008206473.tif 000009
【図８】
2008206473.tif 000010
【図９】
2008206473.tif 000011
【図１０】
2008206473.tif 000012
【図１１】
2008206473.tif 000013
【図１２】
2008206473.tif 000014
【図１３】
2008206473.tif 000015
【図１４】
2008206473.tif 000016
【図１５】
2008206473.tif 000017
【図１６】
2008206473.tif 000018
【図１７】
2008206473.tif 000019